(57)【特許請求の範囲】
【請求項１】
制御対象である少なくとも一つのプロセス装置（１１）を少なくとも一つのプロセスモジュール（１３）及び少なくとも一つの保安モジュール（１５）により制御し、前記プロセス装置（１１）に関連付けられたローカルの制御ユニット（１７）に対して、前記プロセスモジュール（１３）からは保安に無関係なプロセス信号（Ｐ）を、また前記保安モジュール（１５）からはプロセスの保安に関係する保安信号（Ｓ）をそれぞれ伝送するプロセス制御方法であって、
前記プロセス信号（Ｐ）と前記保安信号（Ｓ）を前記制御ユニット（１７）において互いに論理的に結合し、前記プロセス信号（Ｐ）と論理的に結合される少なくとも一つの保安信号（Ｓ）そのものを、プロセスの保安に関係する複数の保安信号（Ｓ’）の論理結合により生成すること、及び
前記制御ユニット（１７）の制御出力に前記制御対象であるプロセス装置（１１）を接続し、該制御出力（２１）に前記論理結合の結果を供給すること
を特徴とするプロセス制御方法。
【請求項２】
前記プロセスモジュール（１３）および前記保安モジュール（１５）がフィールドバスシステムを通じて前記制御ユニット（１７）と通信することを特徴とする、請求項１記載のプロセス制御方法。
【請求項３】
前記プロセスモジュール（１３）は、フィールドバスシステムを通じて前記制御ユニット（１７）と通信し、前記保安モジュール（１５）は前記制御ユニット（１７）と直接通信することを特徴とする、請求項１記載のプロセス制御方法。
【請求項４】
信号入力パターンが不一致のときには前記制御出力（２１）が安全な状態に維持されるように、前記プロセス信号と前記保安信号との論理結合を設計することを特徴とする、請求項１〜３のいずれかに記載のプロセス制御方法。
【請求項５】
前記プロセス信号（Ｐ）と前記保安信号（Ｓ）との間の論理結合、及び／又は、合成保安信号（Ｓ）の生成に用いられる複数の保安信号（Ｓ’）の間の論理結合を、論理積結合として設計することを特徴とする、請求項１〜４のいずれかに記載のプロセス制御方法。
【請求項６】
請求項１〜５のいずれかに記載の方法を実行するためのプロセス制御装置であって、制御対象である少なくとも一つのプロセス装置（１１）、少なくとも一つのプロセスモジュール（１３）及び少なくとも一つの保安モジュール（１５）を備え、
前記プロセス装置（１１）は、該プロセス装置（１１）に関連付けられたローカルの制御ユニット（１７）の制御出力（２１）に接続され、
前記制御ユニット（１７）は、保安に無関係な信号である前記プロセスモジュール（１３）のプロセス信号（Ｐ）と、プロセスの保安に関係する信号である前記保安モジュール（１５）の保安信号（Ｓ、Ｓ’）とを受けるための少なくとも一つの信号入力（２３、２５、２５’）を備え、
更に該制御ユニット（１７）は、前記信号入力（２３、２５、２５’）と前記制御出力（２１）との間に接続された少なくとも一つの論理モジュール（１９）を備え、
更に該制御ユニット（１７）は複数の保安信号（Ｓ’）のための複数の保安入力（２５’）を備え、該複数の保安信号（Ｓ’）を前記論理モジュール（１９）により互いに論理的に結合して一つの合成保安信号（Ｓ）を生成することが可能であり、該合成保安信号（Ｓ）を前記論理モジュール（１９）により前記プロセス信号（Ｐ）と論理的に結合可能であり、
該論理結合の結果が前記論理モジュール（１９）から前記制御出力（２１）に供給可能であること
を特徴とするプロセス制御装置。
【請求項７】
少なくとも前記プロセスモジュール（１３）がフィールドバスシステム（２７）を通じて前記制御ユニット（１７）に接続されていることを特徴とする、請求項６記載のプロセス制御装置。
【請求項８】
少なくとも前記プロセスモジュール（１３）が前記制御ユニット（１７）の少なくとも一つのローカルの信号入力を通じて該制御ユニット（１７）に接続されていることを特徴とする、請求項６又は７記載のプロセス制御装置。
【請求項９】
前記プロセスモジュール（１３）及び前記保安モジュール（１５）が前記制御ユニット（１７）から遠くに配置されるとともに、フィールドバスシステムを通じて前記制御ユニット（１７）に接続されていることを特徴とする、請求項６〜８のいずれかに記載のプロセス制御装置。
【請求項１０】
前記プロセスモジュール（１３）が前記制御ユニット（１７）から遠くに配置されるとともに、フィールドバスシステムを通じて該制御ユニット（１７）に接続され、前記保安モジュール（１５）が前記制御ユニット（１７）に近いローカルな場所に配置されるとともに、該制御ユニット（１７）に直接接続されていることを特徴とする、請求項６〜９のいずれかに記載のプロセス制御装置。
【請求項１１】
前記保安モジュール（１５）が保安制御装置を含むことを特徴とする、請求項６〜１０のいずれかに記載のプロセス制御装置。
【請求項１２】
前記保安モジュール（１５）が少なくとも一つの安全センサを含むことを特徴とする請求項６〜１１のいずれかに記載のプロセス制御装置。
【請求項１３】
少なくとも一つのプロセス装置（１１）に対して、前記制御ユニット（１７）内に複数のチャネルを設け、該チャネルにおいて前記プロセス信号（Ｐ）と前記保安信号（Ｓ、Ｓ’）との論理結合処理をそれぞれ実行可能であることを特徴とする、請求項６〜１２のいずれかに記載のプロセス制御装置。
【請求項１４】
前記制御出力（２１）への電圧供給を論理信号路及び／又は前記プロセス装置（１１）の電圧供給から分離することにより、前記制御出力（２１）を安全に停止できるようにしたことを特徴とする、請求項６〜１３のいずれかに記載のプロセス制御装置。
【発明の詳細な説明】
【技術分野】
【０００１】
本発明はプロセス制御方法及び装置に関する。
【背景技術】
【０００２】
オートメーション工学やプロセス工学を応用したプロセス制御では、純粋に作業プロセスを制御するだけでなく、安全面への配慮も重視されることが多い。プロセス装置（例えばアクチュエータ）の制御においては、プロセスデータと保安データを組み合わせること、あるいはそれらのデータに相当する信号を組み合わせることが必要になる場合がある。例えば、アクチュエータにより駆動される機械部分が行う危険な動作（もしくは人体や生産財に危害が及ぶような動作）を本来の意味でのプロセス制御によって制御するとともに、この動作中に緊急事態や故障が発生した場合にはスイッチを切る、といった場合である。
【０００３】
プロセス制御装置と保安制御装置の組み合わせについては、以下に述べるように、これまでに様々な方法が知られている。
【０００４】
ある方法では、プロセス制御装置と保安制御装置を分離している。プロセス装置で実行される本来の意味での作業プロセスの制御はプロセス制御装置によって行われる。故障が発生すると、保安制御装置がプロセス制御装置とは無関係にプロセス装置への電圧供給を遮断するため、プロセス装置は自然に停止してゆく。この方法を改良した解決策もある。その解決策では、プロセス制御用の配線入力と保安制御用の配線入力を別個に有する、いわゆる保安機能統合型のアクチュエータを使用する。
【０００５】
更に別の公知の方法によれば、プロセスロジックと保安ロジックが保安制御装置内で組み合わされている。この構成では、保安制御装置内でプロセスデータと保安データの両方が考慮され、最終的に得られる信号だけが制御対象のプロセス装置に伝達される。この方法の短所は、プロセス制御装置と保安制御装置の間でデータ交換が必要になるということである。実際の現場ではフィールドバスシステムの利用が増えているため、上記公知の方法を利用するには、プロセス制御装置にも保安制御装置にも共通の通信プロトコルを実装する必要がある。
【０００６】
更に別の公知の方法では、プロセス制御装置からプロセス装置へのデータの流れを保安制御装置により監視することが提案されている。先に説明した公知の方法と同様に、この方法にも、保安制御装置の保安プログラムの中でプロセス制御装置のデータを考慮しなければならないという短所がある。そのため、保安制御装置内での計算コストが高くなるだけでなく、プロセス制御装置と保安制御装置との間での通信が必要になってくる。
【０００７】
更に問題なのは、保安プログラムにおけるプロセスデータと保安データのデータ交換には危険が伴うことも多いということである。というのも、特に保安機能についてよく知らない利用者が、プロセス制御装置の安全ではない入力信号（つまり、安全でないと認識されている信号）のみを使う恐れがあるからである。従って、例えば、安全ではない入力モジュールにおいて「非常停止」に対応する信号が読み取られると、それに起因して保安制御装置内でデータ交換が行われるために、アクチュエータに危険な動作をさせるような制御が実行される、という構成が過って出来上がる可能性がある。これは安全鎖の破損を意味するものであり、実際に設備を使用する際にこれを容認することはできない。
【０００８】
その他、一般的な従来技術は、DE 199 28 517 C2（特許文献１）、DE 199 25 693 A1（特許文献２）、DE 102 01 212 A1（特許文献３）、DE 102 11 939 A1（特許文献４）、DE 102 11 938 A1（特許文献５）、DE 199 22 561 A1（特許文献６）に開示されている。
【０００９】
【特許文献１】DE 199 28 517 C2号明細書
【特許文献２】DE 199 25 693 A1号明細書
【特許文献３】DE 102 01 212 A1号明細書
【特許文献４】DE 102 11 939 A1号明細書
【特許文献５】DE 102 11 938 A1号明細書
【特許文献６】DE 199 22 561 A1号明細書
【発明の開示】
【発明が解決しようとする課題】
【００１０】
本発明の課題は、できるだけ簡単で、しかもコスト的に有利な方法で、安全性を最大限に確保したプロセス制御方法及び装置を提供することである。
【課題を解決するための手段】
【００１１】
上記課題は、本願の独立請求項である請求項１に記載の特徴を有する方法により解決される。その方法によれば、制御対象である少なくとも一つのプロセス装置を少なくとも一つのプロセスモジュール及び少なくとも一つの保安モジュールにより制御し、前記プロセス装置に組み込まれたローカルの制御ユニットに対して、前記プロセスモジュールからは保安に無関係なプロセス信号を、また前記保安モジュールからはプロセスの保安に関係する保安信号をそれぞれ伝送し、前記プロセス信号と前記保安信号を前記制御ユニットにおいて論理的に結合し、前記制御ユニットの制御出力に前記制御対象であるプロセス装置を接続し、該制御出力に前記論理結合の結果を供給する。
【００１２】
また、本発明の基礎を成している課題は、本願の別の独立請求項に記載の特徴を有する装置により解決される。本発明のプロセス制御装置は、制御対象である少なくとも一つのプロセス装置、少なくとも一つのプロセスモジュール及び少なくとも一つの保安モジュールを備え、前記プロセス装置は、該プロセス装置に組み込まれたローカルの制御ユニットの制御出力に接続され、前記制御ユニットは、保安に無関係な信号である前記プロセスモジュールのプロセス信号と、保安に関係する信号である前記保安モジュールの保安信号とを受けるための少なくとも一つの信号入力を備え、更に該制御ユニットは、前記信号入力と前記信号出力との間に接続された少なくとも一つの論理モジュールを備え、該論理モジュールにおいて前記プロセス信号及び前記保安信号が互いに論理的に結合可能であり、該論理結合の結果は前記論理モジュールから前記制御出力に供給可能である。
【００１３】
本発明によれば、制御対象のプロセス装置（例えばアクチュエータ）に対して、プロセス信号と保安信号を論理的に結合するように構成されたローカルの制御ユニットが設けられる。制御ユニットはプロセス信号と保安信号の論理結合処理を行い、その結果を、アクチュエータが接続されている制御出力に供給する。従って、制御ユニットの制御出力は、安全ではないプロセス信号（以下、標準信号と呼ぶ）を考慮に入れた上で制御される保安用出力となる。
【００１４】
本発明に従ってローカルの制御ユニットを設けることは、プロセス制御が分散されるという点で有利であり、しかも構成要素の数が少なくて済む。プロセス信号と保安信号をローカルの制御ユニット内で結合するということは、いわば中心から離れたローカルの制御ユニットに制御ロジックを移動するということである。プロセス信号と保安信号を論理結合しているため、特に、ローカルの制御ユニットにおいてプロセス制御と保安制御の一致を監視することができる。これにより、安全性が非常に高くなる。更に、プロセス制御や保安制御のための既存のモジュールをそのまま残しながら、本発明に係る制御ユニットを既存の設備に取り付けるだけで機能を追加できるという利点もある。
【００１５】
保安制御の部分については、本発明に係る方法及び装置をいわゆるローカル設計又はリモート設計のいずれかの形で実現することができる。ローカル型の場合、保安モジュールは、特に制御ユニットの近く（従って、制御対象のプロセス装置の近く）に配置され、制御ユニットに直接接続される。リモート型の場合、保安モジュールは、プロセスモジュールと同様に、共用の通信システム（特にフィールドバスシステムの形態を有するもの）を通じて制御ユニットに接続される。
【００１６】
特にリモート型の場合、本発明は、ローカルの制御ユニットにおいてプロセスデータと保安データとが結合されるため、保安制御装置とプロセス制御装置の間で通信を行う必要がないという点で有利である。更に、保安制御装置には、信号の論理結合のために高い計算性能が要求されない。これにより、コスト及び性能の面で最適な解決策を利用者に提供することができる。
【００１７】
更に、制御ユニットと保安制御装置及びプロセス制御装置のそれぞれとの間に通信が確立されるため、制御ユニットの制御出力において万一誤動作が発生した場合には、それを保安制御装置とプロセス制御装置の両方に同時に通知することができる。誤りの診断を制御ユニット側から保安制御装置を経由してプロセス制御装置側に送るという回りくどいことをする必要は特にない。
【００１８】
特に、保安モジュールが制御ユニットに直接接続されるローカル型の場合、プロセス制御装置とローカルの制御ユニットとの通信に使用される既存の通信システム（特に、フィールドバスシステム）に追加の保安部品を組み込まなくても、プロセス制御装置が制御ユニットの、誤りに強い制御出力を取得することができる、という点で有利である。特に、信頼性の低い既存のフィールドバスシステムに適宜のバスモジュールを組み入れることができる。
【００１９】
更に、制御ユニットに直接接続された保安モジュールの他にはプロセス装置内に保安制御装置を追加する必要がないため、利用者にとっては大きなコストの節約となる。ローカルの制御ユニットに予め設けられた、保安モジュール用のローカルの保安入力により、制御ユニットに設けられたローカルの安全な制御出力を、プロセス信号を考慮に入れた上で直接制御できる。
【００２０】
本発明の他の好ましい実施形態は、本願の従属請求項、明細書及び図面に記載の通りである。
【００２１】
すなわち、本発明の一実施例では、前記プロセス信号と論理的に結合される少なくとも一つの保安信号そのものを、プロセスの保安に関係する複数の保安信号の論理結合により生成する。これにより、いわばローカルの制御ユニットを用いて分散型保安制御装置を実現することができ、しかもその設計は基本的に任意に複雑にすることができる。
【００２２】
本発明の別の実施形態では、信号入力パターンが不一致のときには前記制御出力が安全な状態に維持されるように、前記プロセス信号と前記保安信号との論理結合を設計する。これにより、安全性が非常に高くなる。
【００２３】
プロセス信号と保安信号の論理結合は論理積（ＡＮＤ）結合として設計することが好ましい。
【００２４】
同様に、プロセス信号と結合すべき保安信号そのものを、プロセスの保安に関係する複数の保安信号の論理結合により生成する場合には、該複数の保安信号の論理結合をＡＮＤ結合として設計することが好ましい。
【００２５】
しかしながら、論理結合は基本的に任意の形態とすることが可能である。
【００２６】
初めに少し述べたように、本発明に係るプロセス制御装置の好ましい形態においては、少なくともプロセスモジュールがフィールドバスシステムを通じてローカルの制御ユニットに接続される。
【００２７】
初めに説明したリモート型の場合、前記プロセスモジュール及び前記保安モジュールを前記制御ユニットから遠くに配置し、共用の通信システム、特にフィールドバスシステムを通じて前記制御ユニットに接続することが好ましい。
【００２８】
同様に初めに言及済みであるローカル型の場合、プロセスモジュールを制御ユニットから遠くに配置し、中央の通信システム、特にフィールドバスシステムを通じて制御ユニットに接続する一方、保安モジュールは制御ユニットに近いローカルな場所、特に、プロセスモジュールから遠い場所に配置し、制御ユニットに直接接続することが好ましい。
【００２９】
プロセスモジュールはプログラマブルコントローラ（Programmable Logic Controller; ＰＬＣ）の形態とすることが好ましい。
【００３０】
保安モジュールは安全センサの形態とすることが好ましいが、保安制御装置（特に、ＰＬＣの形態のもの）も基本的には保安モジュールに含まれる。
【００３１】
本発明に係るプロセス制御方法に関連して既に少し述べたように、本発明の別の実施例として、制御ユニットに複数の保安信号に対応する複数の保安入力を設け、該制御ユニットの論理モジュールにより、前記複数の保安信号を論理的に結合して一つの合成保安信号とすることが可能であり、該合成保安信号を論理モジュールにより今度は前記プロセス信号と論理的に結合可能としてもよい。
【００３２】
更に安全性を高めるために、制御対象である少なくとも一つのプロセス装置に対して、特に各々のプロセス装置に対して、制御ユニット内に、プロセス信号と保安信号とを論理的に結合するように構成された複数のチャネル、特に２つのチャネルを設けることが好ましい。このとき、各チャネルを独立した保安用スイッチ切断路として構成することにより、制御対象のプロセス装置毎に複数の（特に２つの）独立したスイッチ切断路を用意することができる。
【００３３】
本発明の更に別の実施例として、制御ユニットの制御出力のための電圧供給を論理信号路及び／又はプロセス装置への電圧供給から分離することにより、第三の独立した保安用スイッチ切断路を実現してもよい。このようにすると、制御出力を確実に遮断する別の手段が得られる。
【００３４】
更に、本発明において、択一的に又は追加的に、プロセス信号を制御ユニットのローカルの保安入力及び／又はローカルの非保安関連信号入力に供給するようにしてもよい。このようにすると、非保安関連プロセスデータを制御ユニットのローカルの保安入力から、又は非保安関連信号入力から読み込んで結合することができる。
【実施例】
【００３５】
以下、図面を参照しながら、本発明の模範的な例について説明する。
【００３６】
以下、特に断りがない限り、「プロセス」で始まる概念（プロセス制御、プロセスデータ、プロセス信号等）は、安全面とは関係がないことを意味する。すなわち、プロセス制御は作業プロセスにしか関係がなく、また、プロセス信号やプロセスデータは、保安信号や保安データを含まず、いわゆる安全ではない信号やデータだけを意味する。なお、実際上「プロセスの世界」と「保安の世界」を区別する必要がある場合は、「プロセス」という概念の代わりに「標準」という概念を用いるものとする。
【００３７】
図１に示したリモート型では、プロセスＰＬＣ１３と保安ＰＬＣ１５が、フィールドバスシステム２７を通じて、信号入力２３、２５においてフィールドバス２７に接続された制御ユニット１７と通信する。制御ユニット１７は、制御対象のプロセス装置１１に対応する保安制御用の制御出力２１を備えている。制御対象のプロセス装置１１とは、例えば工作機械のアクチュエータやモータ等、特定の状況下で人体あるいは生産財に対して危害を加える可能性のある動きをする設備のことである。保安ＰＬＣ１５は、このような安全に関わる事故を防止するために設けられている。一方、プロセスＰＬＣ１３は安全面とは無関係に本来の意味での作業プロセスを制御する。
【００３８】
図１では制御ユニット１７が１つだけ描かれており、それにプロセス装置１１が１つだけ接続されている。原則的には、プロセス制御装置１３及び保安制御装置１５は、フィールドバスシステム２７に接続された任意の多数の制御ユニット１７及びプロセス装置１１を制御することができる。更に、１つの制御ユニット１７に複数のプロセス装置１１を接続することも基本的に可能である。この場合、制御ユニット１７には複数の保安制御用の制御出力２１を設ける。
【００３９】
図１に破線で描いた信号路は、本発明にとってフィールドバスシステム２７のような中央通信システムは必須ではなく、プロセス制御装置１３及び保安制御装置１５が直接制御ユニット１７と通信するようにしてもよい、ということを示唆している。この場合、制御ユニット１７には破線の信号路に対応する信号入力を設けるようにする。
【００４０】
制御ユニット１７は、制御対象のプロセス装置１１の近くに配置（つまり、分散配置）されており、プロセスＰＬＣ１３からのプロセス信号Ｐと保安ＰＬＣ１５からの保安信号Ｓとを処理する論理モジュール１９を備えている（これについては後で詳しく取り上げる）。論理モジュール１９は、プロセス装置１１のための保安制御信号を、信号処理の結果として制御ユニット１７の制御出力２１に供給する。
【００４１】
図２は、制御ユニット１７の論理モジュール１９をプロセス装置に埋め込んだ様子を概略的に示している。図に示した実施例では、制御対象のプロセス装置１１毎に、２重チャネル式の駆動部が設けられている。ここで、２重チャネルの設計はいずれも同じである。どのチャネルにおいても、信号入力２３を通じて入力されるプロセスデータＰと、保安入力２５を通じて入力される保安データＳが、制御ユニット１７の論理モジュール１９において論理的にＡＮＤ結合される。この論理結合の結果により、制御ユニット１７のローカルの保安出力２１が制御される。
【００４２】
このようにして、チャネル毎に、プロセスＰＬＣ１３（図１）が出力する非保安関連信号Ｐ（これは制御ユニット１７の保安出力２１に影響を与えることになる）と、保安ＰＬＣ１５が出力する保安制御用の信号Ｓ（これも制御ユニット１７の安全な出力２１に影響を与えることになる）とが論理的にＡＮＤ結合される。
【００４３】
ここで説明している実施例では、プロセス信号Ｐだけでなく保安制御装置１５の保安制御用の信号Ｓも産業用バスシステム２７を通じて制御ユニット１７に伝送されるため、保安信号の伝送には信頼性の高いバスプロトコルが用いられる。
【００４４】
論理モジュール１９における論理的なＡＮＤ結合は、信号入力パターンが不一致のときには保安出力２１を安全な状態に維持する働きをする。すなわち、当該保安出力２１を切り替えるには、全ての信号が「１」であるような信号入力パターンが必要なのである。
【００４５】
図３及び図４に示した本発明に係るローカル型の装置では、先に図１及び図２を参照しながら説明したリモート型とは異なり、保安モジュール１５（これは安全センサでも保安ＰＬＣでもよい）がプロセスＰＬＣ１３と制御ユニット１７の通信媒体であるフィールドバスシステム２７を通じて制御ユニット１７に接続されているのではなく、保安モジュール１５が制御ユニット１７と直接通信するようになっている。ここでは、保安モジュール１５が制御ユニット１７の近く（従って、制御対象のプロセス装置１１の近く）にローカルに配置されている。
【００４６】
このローカル型でも、原則的に任意の数の制御ユニット１７を用意し、各制御ユニット１７がそれぞれ一又は複数のプロセス装置１１を制御するとともに、各制御ユニット１７に一又は複数の保安モジュール１５を接続することができる。
【００４７】
また、本発明において、基本的には、一又は複数のローカルの制御ユニット１７により遠隔配置された保安モジュール１５からの保安信号Ｓを受信し（図１及び図２に対応。いわゆるリモート・セーフティ・リリース；ＲＳＲ）、別の一又は複数のローカルの制御ユニット１７を一又は複数のローカルの保安モジュール１５にそれぞれ直接接続する（図３及び図４に対応。いわゆるローカル・セーフティ・リリース；ＬＳＲ）、という混在型のシステム設計も考えられる。
【００４８】
図４に示した実施例のローカル型においては、プロセスデータＰと論理的に結合される保安データＳそのものが、制御ユニット１７に直接接続された保安モジュール１５から供給される複数の保安信号Ｓ’から生成されている。最終的にプロセス信号Ｐと結合すべき保安信号Ｓをこのように生成する処理もまた、論理モジュール１９により実行される。ここでも論理結合は論理積（ＡＮＤ）結合として設計している。この論理結合はまた別個の論理モジュールで実行してもよい。
【００４９】
制御ユニット１７に直接接続された保安モジュール１５から出力される保安信号Ｓ’のＡＮＤ結合を上記のように前段に接続することにより、信号入力パターンが不一致のときに制御ユニット１７の保安出力を安全な状態に維持することができる。
【００５０】
制御ユニット１７に接続されたプロセス装置１１のそれぞれに対して合成保安信号Ｓとプロセス信号Ｐを結合する信号処理が２重チャネル式であるのと同様に、ローカルの信号入力２５’も２重チャネル式の設計とすることで、安全性を高めている。制御ユニット１７もしくはその論理モジュール１９において、プロセス信号Ｐを取り込む本来の意味での論理的な信号処理の前段に、先に述べたローカルの保安信号Ｓ’の２重チャネル式の評価部が接続されている。こうして前段に接続された評価部による評価結果は後段の論理結合部に送られる。
【００５１】
本発明は、例えば、Profibus、InterbusあるいはDeviceNetの名前で知られるバスシステムや、イーサネット（登録商標）系のバスシステム等、基本的にあらゆる既存の産業用バスシステムで実現可能である。更に、本発明は、プロセスデータと保安データのいずれも伝送可能な将来の混在型バスシステムにも好適である。
【００５２】
先に図１及び図２を参照しながら説明したＲＳＲ機能は、例えばDeviceNetやDeviceNet Safetyと呼ばれるバスシステム用に変形して実現することができる。そのためには、リモート出力モジュールとも呼ばれる保安モジュール（対象側）と、標準制御装置とも呼ばれるプロセスモジュール（発信側）との間でプロセスデータを交換するために、標準DeviceNet接続を設備する。この接続を通じて、いわゆるメーカー固有の出力アセンブリにより、ＲＳＲ機能用の安全ではない入力データを供給することができる。更に、制御ユニットと保安ＰＬＣとの間に信頼性の高い通信接続を構築する。この通信接続を通じて、DeviceNetデバイスプロファイルに準拠した出力アセンブリにより、ＲＳＲ機能用の信頼性の高い入力データを伝送する。
【００５３】
先に図３及び図４を参照しながら説明したＬＳＲ機能もまた、DeviceNet用に変形して実現することができる。そのためには、ここでも、対象側（制御ユニット）と発信側（プロセスＰＬＣ）との間でプロセスデータを交換するために、標準DeviceNet接続を設備する。この場合、前記接続を通じて、メーカー固有の出力アセンブリにより、安全ではない入力データをＬＳＲ機能部に供給することができる。このとき、安全に関する同意に必要な保安信号は、制御ユニットにローカルに接続された安全センサにより生成される。
【図面の簡単な説明】
【００５４】
【図１】本発明に係るリモート型のプロセス制御装置の一部の概略図。
【図２】図１のシステムで使用されている本発明に係る制御ユニットの概略図。
【図３】本発明に係るローカル型のプロセス制御装置の一部の概略図。
【図４】図３のシステムで使用されている本発明に係る制御ユニットの概略図。
【符号の説明】
【００５５】
１１…プロセス装置、アクチュエータ
１３…プロセスモジュール、プロセスＰＬＣ
１５…保安モジュール、安全ＰＬＣ
１７…制御ユニット、出力モジュール
１９…論理モジュール
２１…制御ユニットの制御出力
２３…制御ユニットの制御入力
２５、２５’…制御ユニットの制御入力
２７…通信システム、フィールドバスシステム
Ｐ…プロセスモジュールのプロセス信号
Ｓ、Ｓ’…保安モジュールの保安信号
【図１】
0004783049.tif 000002
【図２】
0004783049.tif 000003
【図３】
0004783049.tif 000004
【図４】
0004783049.tif 000005